【事件の表示】
　特許第５７６３７７９号「開口部の防水装置および開口部の防水シート」の請求項１、２、５、７ないし１１、１３に係る特許に対する特許異議の申立てについて、次のとおり決定する。
【結　論】
　特許第５７６３７７９号の請求項１、２、５、１３、７ないし１１に係る特許を維持する。
【理　由】
第１　手続の経緯
　本件特許第５７６３７７９号（以下「本件特許」という。）は、２０１２年（平成２４年）１１月２日（優先権主張平成２３年１１月７日、平成２４年９月５日）を国際出願日とする出願であって、平成２７年６月１９日に特許の設定登録がなされ、その後、本件特許の請求項１、２、５、７ないし１１、１３に係る発明（以下「本件特許発明１、２、５、７ないし１１、１３」という。）の特許に対して、特許異議申立人篁悟（以下「申立人」という。）により特許異議の申立てがなされたものである。
第２　本件発明
　本件特許発明１、２、５、７ないし１１、１３は、その特許請求の範囲の請求項１、２、５、７ないし１１、１３に記載された次のとおりのものである。
「【請求項１】
　構造物の屋内側と屋外側とを連通し、かつ開閉体によって開閉される開口部に設置されるシートと、
　前記シートを前記開閉体よりも屋外側の位置で前記構造物に対して保持する保持部とを備え、
　前記保持部は、前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように前記シートを保持し、
　前記シートは、前記所定部と、前記所定部に隣接する床面と、前記所定部に隣接し、かつ前記開口部の幅方向において互いに対向する壁面とを一体に覆うものであり、
　前記シートは、前記床面に対応する部分の幅方向の端部と、前記壁面に対応する部分の下端部とを重ね合わせて設置可能である
　ことを特徴とする開口部の防水装置。
【請求項２】
　前記シートの前記壁面に対応する部分は、前記壁面と前記床面とを一体に覆うことが可能である
　請求項１に記載の開口部の防水装置。
【請求項５】
　更に、前記シートにおける前記床面に沿って延在する部分を前記床面に向けて押圧する押圧部材を備える
　請求項１から４のいずれか１項に記載の開口部の防水装置。
【請求項７】
　構造物の屋内側と屋外側とを連通し、かつ開閉体によって開閉される開口部に設置されるシートと、
　前記シートを前記開閉体よりも屋外側の位置で前記構造物に対して保持する保持部と、
　前記シートを前記構造物に向けて押圧する押圧部材とを備え、
　前記保持部は、前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように前記シートを保持し、
　前記シートは、前記所定部と、前記所定部に隣接する床面と、前記所定部に隣接し、かつ前記開口部の幅方向において互いに対向する壁面とを一体に覆うものであり、
　前記押圧部材は、少なくとも前記シートにおける前記床面に沿って延在する部分に配置され、かつ前記開口部の外周に沿って連続的に設けられ、
　前記シートにおける前記床面に沿って延在する部分に配置される前記押圧部材は、前記開口部の幅方向の一端から他端まで連続的に設けられ、かつ前記シートを前記壁面に向けて押圧するように設置される
　ことを特徴とする開口部の防水装置。
【請求項８】
　構造物の屋内側と屋外側とを連通し、かつ開閉体によって開閉される開口部に設置されるシートと、
　前記シートを前記開閉体よりも屋外側の位置で前記構造物に対して保持する保持部と、
　前記シートを前記構造物に向けて押圧する押圧部材とを備え、
　前記保持部は、前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように前記シートを保持し、
　前記シートは、前記所定部と、前記所定部に隣接する床面と、前記所定部に隣接し、かつ前記開口部の幅方向において互いに対向する壁面とを一体に覆うものであり、
　前記押圧部材は、少なくとも前記シートにおける前記床面に沿って延在する部分に配置され、かつ前記開口部の外周に沿って連続的に設けられ、
　前記シートにおける前記床面に沿って延在する部分に配置される前記押圧部材は、前記開口部の幅方向の一端から他端まで連続的に設けられ、かつ前記床面と前記壁面とが交わる隅部の形状に対応する形状の角部を有し、前記角部と前記隅部との間に前記シートを挟んで設置される
　ことを特徴とする開口部の防水装置。
【請求項９】
　構造物の屋内側と屋外側とを連通し、かつ開閉体によって開閉される開口部に設置されるシートと、
　前記シートを前記開閉体よりも屋外側の位置で前記構造物に対して保持する保持部と、
　前記シートを前記構造物に向けて押圧する押圧部材とを備え、
　前記保持部は、前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように前記シートを保持し、
　前記シートは、前記所定部と、前記所定部に隣接する床面と、前記所定部に隣接し、かつ前記開口部の幅方向において互いに対向する壁面とを一体に覆うものであり、
　前記押圧部材は、少なくとも前記シートにおける前記床面に沿って延在する部分に配置され、かつ前記開口部の外周に沿って連続的に設けられ、
　前記シートにおける前記床面に沿って延在する部分に配置される前記押圧部材は、前記開口部の幅方向の一端から他端まで連続的に設けられ、
　前記押圧部材における前記開口部の幅方向の端部は、前記壁面に向けて押圧されることで前記壁面の形状に応じて変形可能である
　ことを特徴とする開口部の防水装置。
【請求項１０】
　前記シートにおける前記床面に沿って延在する部分に配置される前記押圧部材は、前記床面と前記壁面とが交わる隅部の形状に対応する形状の角部を有し、前記角部と前記隅部との間に前記シートを挟んで設置される
　請求項７に記載の開口部の防水装置。
【請求項１１】
　前記押圧部材における前記開口部の幅方向の端部は、前記壁面に向けて押圧されることで前記壁面の形状に応じて変形可能である
　請求項７、８、１０のいずれか１項に記載の開口部の防水装置。
【請求項１３】
　構造物の屋内側と屋外側とを連通し、かつ開閉体によって開閉される開口部に設置されるシートと、
　前記シートを前記開閉体よりも屋外側の位置で前記構造物に対して保持する保持部と、
　支持部材とを備え、
　前記保持部は、前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように前記シートを保持し、
　前記支持部材は、屋外側からの水圧による力に抗して前記開閉体を支持することで前記開閉体の変形を抑制する
　ことを特徴とする開口部の防水装置。」
第３　申立て理由の概要
１　申立人の主張の概要
　申立人は、証拠方法として甲第１号証ないし甲第１１号証を提出し、概ね以下のとおり主張している。
（１）本件特許発明１及び２に対して
　本件特許発明１及び２は、甲第１ないし６号証に記載された発明に基づいて、当業者が容易に発明をすることができたものであるから、その特許は特許法第２９条第２項の規定により特許を受けることができないものであり、同法第１１３条第２号に該当し、その特許は取り消すべきものである。
（２）本件特許発明５に対して
　本件特許発明５は、甲第１ないし７、１１号証に記載された発明に基づいて、当業者が容易に発明をすることができたものであるから、その特許は特許法第２９条第２項の規定により特許を受けることができないものであり、同法第１１３条第２号に該当し、その特許は取り消すべきものである。
（３）本件特許発明７ないし１１に対して
　本件特許発明７ないし１１は、甲第１ないし４、７、１１号証に記載された発明に基づいて、当業者が容易に発明をすることができたものであるから、その特許は特許法第２９条第２項の規定により特許を受けることができないものであり、同法第１１３条第２号に該当し、その特許は取り消すべきものである。
（４）本件特許発明１３に対して
　本件特許発明１３は、甲第１ないし４、８ないし１０号証に記載された発明に基づいて、当業者が容易に発明をすることができたものであるから、その特許は特許法第２９条第２項の規定により特許を受けることができないものであり、同法第１１３条第２号に該当し、その特許は取り消すべきものである。
２　証拠方法
　甲第１号証：特開２０１０−６５３９１号公報
　甲第２号証：特開昭６３−２１０３０７号公報
　甲第３号証：特開２００８−８８７９１号公報
　甲第４号証：特開２００５−６１０６９号公報
　甲第５号証：特開平３−１７２４２８号公報
　甲第６号証：特開２００６−７７５６号公報
　甲第７号証：特開２００１−１４０２３５号公報
　甲第８号証：特公昭４５−７１４４号公報
　甲第９号証：特開昭６３−２７２８８４号公報
　甲第１０号証：特開２０１１−１１７１８０号公報
　甲第１１号証：特開２００８−１０６４４１号公報
第４　当審の判断
１　各甲号証の記載
（１）甲第１号証
　甲第１号証には、以下の発明（以下「甲１発明」という。）が記載されていると認められる。
　「建築物の出入口からの水の浸入を防止する止水装置であって、
　前記出入口の下部に着脱自在に設けられる下枠部材と、
　前記出入口の左右両端部に縦枠を介して着脱自在に設けられる側枠部材と、
　前記下枠部材及び側枠部材に下辺部及び両側辺部が保持される防水シートと、
　該防水シートの下辺部と前記出入口の下部との間をシールする下辺部弾性シール部材と、
　前記防水シートの側辺部を縦枠に押し付けると共に該防水シートの側辺部と縦枠部材との間をシールする側辺部弾性シール部材と、
　前記下枠部材の両端部に設けられ前記出入口の下部と前記縦枠との交わる隅部に防水シートの対応する部分を押し付けてシールする隅部押圧部材とを備え、
　下枠部材には前記下辺部弾性シール部材を防水シートの上方から押圧するための下部押圧部材が設けられている止水装置。」
（２）甲第２号証
　甲第２号証には、以下の事項が記載されていると認められる。
　「建物躯体開口の両側面部と下面部とに設けた凹部に略Ｕの断面形状の凹部を有する直角溝形の枠体を挿入固定し、前記枠体の凹部の一方側面部下部に横溝部を構成し、遮水シートの両側縁部と下縁部に袋状部を構成し、前記袋状部に条材を挿入した遮水シートの端縁部を躯体の両側面部と下面部に固定した枠体の横溝部に挿入し、前記遮水シートの端縁部を締付け体を前記枠体に固定して締付け、前記遮水シートの上縁部にワイヤを包み込み、端部を前記枠体上部に着脱自在に係止し、前記遮水シート中央に切り目を設けて出入できる開口部を設けてなる建物浸水防止装置を出入口扉の屋外側に設置すること。」
（３）甲第３号証
　甲第３号証には、以下の事項が記載されていると認められる。
　ア　「浸水を防止すべき場所の開口部分の両端部の縦方向の開口側面部２０と開口床部１９を横断して取り付けられた帯状の係留金具２と、係留金具２に係留する着脱可能な板状断面の帯芯材５を封入した係留縁部１を有する可撓性防水シート材４と、可撓性防水シート材４からなる浸水防止シート壁を自立形成支持するシート支持具３とからなる浸水防御装置であって、
　可撓性防水シート材４は、開口側面部２０と開口床部１９を一体に覆っていること。」
　イ　「建造物の床下浸水および床上浸水を防止すべき建物廻りの建造物基礎コンクリート２１ａ部および犬走り側面部２１ｂ、犬走り床部２１ｃを連通して建造物を取り囲む外周部に取り付けられた帯状の係留金具２と、係留金具２に係留する着脱可能な板状断面の帯芯材５を封入した係留縁部１を有する可撓性防水シート材４と、可撓性防水シート材４からなる浸水防止シート壁を自立形成支持するシート支持具３とを有する浸水防御装置において、
　建造物の壁や建造物基礎コンクリート２１ａの側面部にシート固定具２７ａを取り付けて、可撓性防水シート材４を吊り上げ係留することで浸水防止シート壁を形成し、
　扉（ガラス扉）２４が位置する場所は、吸盤取り付けのシート固定具２７ｂで可撓性防水シート材４を吊り上げ係留することで浸水防止シート壁を形成すること。」
（４）甲第４号証
　甲第４号証には、以下の事項が記載されていると認められる。
　「上面および下面が透水性シート材２ｃで形成された平面形状が長方形の袋体２と、袋体２内に収容された粉粒状の高分子吸水剤３と、袋体２の一方の長辺２ａに沿ってヒンジ部５を介して折り曲げ可能に接続された非透水性のシート材６と、シート材６を建築物のシャッタＳに着脱可能に固定するための係止手段としてシート材６の裏面に固着された磁石７とを備え、袋体２の他方の長辺２ｂに沿って重り８が付設されている浸水防止具２０をシャッタＳの外側に設置すること。」
（５）甲第５号証
　甲第５号証には、以下の事項が記載されていると認められる。
　「ポリエチレンなどの不透水性シートの片面上に、水膨潤性粘土の顆粒状微小片を被覆させた防水シートを使用して土木、建築構造物の底壁、側壁、床、天井、導水管、貯水池、排水タンクなどの水が漏れる懸念のあるコーナー部を防水するため、前記防水シートの１枚を折り曲げ、さらにコーナー部に当接する部分をコーナー部の形状に合わせて折畳んでコーナー部に当接させるコーナー部の防水工法において、
　前記防水シートの１枚をその水膨潤性粘土の層を外側にして内側に２つの部分に折り曲げ、さらに、それぞれをほぼ水平に折り曲げ、コーナー部では下側にされたシートの端部が３角形に折畳まれ上側のシートと背中合わせにされるようにし、折畳まれ下側に重ねられた前記の３角形の部分の寸法に合わせて成形した水膨潤性粘土単層の３角形片を準備し、対面するように配置された前記の２枚の不透水性シートの３角形の重なり部分間に挿入してコーナー部に接合兼防水層を形成し、前記防水シートの折畳まれ重ねられたコーナー部を含みその上側、下側または両者の中間に底板となる防水シートを液密に配置してコーナー部および底部の防水構造とすること。」
（６）甲第６号証
　甲第６号証には、以下の事項が記載されていると認められる。
　「下地に防水や遮水などを施す工事に使用するゴム製の防水型物３であって、加硫ゴムシート７を予め工場にて施工箇所の形状に合わせた形状に切り取り・折り曲げ加工し、接着剤１２を接合部に介在して接合することによって形状を保持するようにしたこと。」
（７）甲第７号証
　甲第７号証には、以下の事項が記載されていると認められる。
　「蝶番７ａでＬ字状の折り畳みできる遮水板７の底板側の上面に注入口８ｂを有する高分子吸水剤８ｄを封入した補給式吸水シート８を取付け、又垂直となる板部分の内面に透水性の自給式吸水シート９を取付け、該遮水板を車庫のシャッター４の下端の前に列べて配置すること。」
（８）甲第８号証
　甲第８号証には、以下の事項が記載されていると認められる。
　「止具が定着自在に遊装され基部は床に定着自在でかつこの止具によりスラットに設けた掛具と協働してスラットと係脱自在の補強支柱と、この支柱に固定した挟支片に欠環体を回動自在に吊架して成る取付手段によりこの支柱に着脱自在でかつ下部は床に螺締自在の支えとを有しているシャッターに関する補強装置。」
（９）甲第９号証
　甲第９号証には、以下の事項が記載されていると認められる。
　「横方向に細長い複数枚のドアーパネルをそれぞれ回転自在に上下に連結することにより構成してあるとともに建物の開口部に昇降自在に取付けてあるオーバーヘッドドアーの室内側に当該ドアーパネルを室外方向に押圧し得るアングル作動アームを取付けること。」
（１０）甲第１０号証
　甲第１０号証には、以下の事項が記載されていると認められる。
　「建物開口部の両側縁に設けられた一対のガイドレールに案内されて、前記建物開口部を開閉可能なシャッタ板を備えるスライド式シャッタの補強構造であって、前記建物開口部の床面に設けられた固定手段と、該固定手段に固定されて前記シャッタ板に近接して立設する補強体と、を備えること。」
（１１）甲第１１号証
　甲第１１号証には、以下の事項が記載されていると認められる。
　「地面(設置面)Ｇ上に固定され内包空間Ｋによって洪水等の水ｗを堰きとめる止水シート２と、止水シート２の上端部に固着されるフロート(浮き体)３と、止水シート２の下端部に溶着されるとともに前端部縁に沿って鎖(重り)５が設置され水ｗを止水シート２へ導水するとともに漏水を防ぐ導水シート４と、フロート３および固定用杭６に係合される固定ベルト(接続体)７と、固定ベルト７を固定用杭(固定具)６に留めるとともに止水シート２を地面Ｇ上に固定する固定金具(固定具)８とを備えているウォータフロートバリア１(１Ａ、１Ｂ)。」
２　取消理由について
（１）本件特許発明１について
　ア　本件特許発明１と甲１発明とを対比すると、両者は、構造物に対して保持部により保持されるシートに関し、本件特許発明１では、シートは、開閉体の鉛直方向下端側の所定部と、所定部に隣接する床面と、所定部に隣接し、かつ開口部の幅方向において互いに対向する壁面とを一体に覆うことで開口部の鉛直方向下端側を閉塞するのに対し、甲１発明では、そのような構成を有しない点（以下「相違点１」という。）で少なくとも相違し、相違点１に係る本件特許発明１の構成は、甲第２ないし６号証のいずれにも記載されていない。
　したがって、本件特許発明１は、甲１発明及び甲第２ないし６号証に記載された事項に基づいて、当業者が容易に発明をすることができたものとはいえない。
　イ　申立人は、相違点１に係る本件特許発明１の構成が甲第３号証に記載されている旨主張する。
　しかし、甲第３号証には、開口部分の浸水防御装置において、可撓性防水シート材４により開口側面部２０と開口床部１９を一体に覆うことは記載されているが（上記１（３）アを参照。）、当該可撓性防水シート材４は、開閉体の鉛直方向下端側の所定部をも一体に覆うものではない。また、甲第３号証には、建造物を取り囲む外周部に設置される浸水防御装置において、建造物の壁や建造物基礎コンクリート２１ａの側面部にシート固定具２７ａを取り付けて、可撓性防水シート材４を吊り上げ係留し、扉（ガラス扉）２４が位置する場所は、吸盤取り付けのシート固定具２７ｂで可撓性防水シート材４を吊り上げ係留することが記載されているが（上記１（３）イを参照。）、当該可撓性防水シート材４は、開閉体の鉛直方向下端側の所定部と、所定部に隣接する床面と、所定部に隣接し、かつ開口部の幅方向において互いに対向する壁面とを一体に覆うものではなく、開口部の鉛直方向下端側を閉塞ものでもない。
　よって、上記申立人の主張は採用できない。
（２）本件特許発明２について
　本件特許発明２は、本件特許発明１を引用してさらに限定したものであるから、上記本件特許発明１についての判断と同様の理由により、甲１発明及び甲第２ないし６号証に記載された事項に基づいて、当業者が容易に発明をすることができたものとはいえない。
（３）本件特許発明５について
　本件特許発明５は、本件特許発明１を引用してさらに限定したものであるから、本件特許発明５と甲１発明とを対比すると、両者は、少なくとも相違点１において相違し、相違点１に係る本件特許発明５の構成は、甲第２ないし７、１１号証のいずれにも記載されていない。
　したがって、本件特許発明５は、甲１発明及び甲第２ないし７、１１号証に記載された事項に基づいて、当業者が容易に発明をすることができたものとはいえない。
（４）本件特許発明７について
　本件特許発明７と甲１発明とを対比すると、両者は、相違点１と同じ点で少なくとも相違し、相違点１に係る本件特許発明７の構成は、甲第２ないし４、７、１１号証のいずれにも記載されていない。
　したがって、本件特許発明７は、甲１発明及び甲第２ないし４、７、１１号証に記載された事項に基づいて、当業者が容易に発明をすることができたものとはいえない。
（５）本件特許発明８について
　本件特許発明８と甲１発明とを対比すると、両者は、相違点１と同じ点で少なくとも相違し、相違点１に係る本件特許発明８の構成は、甲第２ないし４、７、１１号証のいずれにも記載されていない。
　したがって、本件特許発明８は、甲１発明及び甲第２ないし４、７、１１号証に記載された事項に基づいて、当業者が容易に発明をすることができたものとはいえない。
（６）本件特許発明９について
　本件特許発明９と甲１発明とを対比すると、両者は、相違点１と同じ点で少なくとも相違し、相違点１に係る本件特許発明９の構成は、甲第２ないし４、７、１１号証のいずれにも記載されていない。
　したがって、本件特許発明９は、甲１発明及び甲第２ないし４、７、１１号証に記載された事項に基づいて、当業者が容易に発明をすることができたものとはいえない。
（７）本件特許発明１０について
　本件特許発明１０は、本件特許発明７を引用してさらに限定したものであるから、上記本件特許発明７についての判断と同様の理由により、甲１発明及び甲第２ないし４、７、１１号証に記載された事項に基づいて、当業者が容易に発明をすることができたものとはいえない。
（８）本件特許発明１１について
　本件特許発明１１は、本件特許発明７、８又は１０を引用してさらに限定したものであるから、上記本件特許発明７、８又は１０についての判断と同様の理由により、甲１発明及び甲第２ないし４、７、１１号証に記載された事項に基づいて、当業者が容易に発明をすることができたものとはいえない。
（９）本件特許発明１３について
　ア　本件特許発明１３と甲１発明とを対比すると、両者は、構造物に対して保持部により保持されるシートに関し、本件特許発明１３では、シートは、開閉体の鉛直方向下端側の所定部と、構造物のうち所定部に隣接する部分とを一体に覆うことで開口部の鉛直方向下端側を閉塞するのに対し、甲１発明では、そのような構成を有しない点（以下「相違点２」という。）で少なくとも相違し、相違点２に係る本件特許発明１３の構成は、甲第２ないし４、８ないし１０号証のいずれにも記載されていない。
　したがって、本件特許発明１３は、甲１発明及び甲第２ないし４、８ないし１０号証に記載された事項に基づいて、当業者が容易に発明をすることができたものとはいえない。
　イ　申立人は、相違点２に係る本件特許発明１３の構成は、甲第１、２号証から容易想到である旨、及び相違点２に係る本件特許発明１３の構成は、甲第３号証及び甲第４号証に記載されている旨主張する。
　しかし、甲第２号証には、建物浸水防止装置を出入口扉の屋外側に設置することは記載されているが（上記１（２）を参照。）、構造物に対して保持部により保持されるシートが、開閉体の鉛直方向下端側の所定部と、構造物のうち所定部に隣接する部分とを一体に覆うことで開口部の鉛直方向下端側を閉塞することは記載されていないから、甲第２号証に記載された事項を踏まえても、甲１発明において相違点２に係る本件特許発明１３の構成とすることが当業者にとって容易であるとはいえない。
　甲第３号証には、開口部分の浸水防御装置において、可撓性防水シート材４により開口側面部２０と開口床部１９を一体に覆うことは記載されているが（上記１（３）アを参照。）、当該可撓性防水シート材４は、開閉体の鉛直方向下端側の所定部をも一体に覆うものではない。また、甲第３号証には、建造物を取り囲む外周部に設置される浸水防御装置において、建造物の壁や建造物基礎コンクリート２１ａの側面部にシート固定具２７ａを取り付けて、可撓性防水シート材４を吊り上げ係留し、扉（ガラス扉）２４が位置する場所は、吸盤取り付けのシート固定具２７ｂで可撓性防水シート材４を吊り上げ係留することが記載されているが（上記１（３）イを参照。）、当該可撓性防水シート材４は、開閉体の鉛直方向下端側の所定部と、構造物のうち所定部に隣接する部分とを一体に覆うものではなく、開口部の鉛直方向下端側を閉塞するものでもない。
　甲第４号証には、平面形状が長方形の袋体２と、袋体２内に収容された粉粒状の高分子吸水剤３と、袋体２の一方の長辺２ａに沿ってヒンジ部５を介して折り曲げ可能に接続された非透水性のシート材６と、シート材６の裏面に固着された磁石７とを備え、袋体２の他方の長辺２ｂに沿って重り８が付設されている浸水防止具２０をシャッタＳの外側にシャッタＳの外側に設置することが記載されているが（上記１（４）を参照。）、当該浸水防止具２０のシート材６は、建築物のシャッタＳに磁石７にて着脱可能に固定されるものであって、保持部によって構造物に対して保持されるものではない。
　よって、上記申立人の主張は、いずれも採用できない。
第５　むすび
　以上のとおりであって、特許異議申立の理由及び証拠によっては、本件特許発明１、２、５、７ないし１１、１３の特許を取り消すことはできない。
　また、他に本件特許発明１、２、５、７ないし１１、１３の特許を取り消すべき理由を発見しない。
　よって、結論のとおり決定する。
【異議決定日】
平成２８年４月１２日（２０１６．４．１２）